(57)【特許請求の範囲】
【請求項１】
運転者による運転操作に対する車両の燃費を、所定距離の単位区間毎に評価した評価情報を取得する評価情報取得手段と、
前記運転操作に対する燃費を評価するための評価区間を決定するとともに、当該評価区間の距離を表示手段に表示されている地図の縮尺が小さくなるほど長くなるように決定し、当該評価区間に含まれる前記単位区間毎に評価した前記評価情報に基づいて、当該評価区間における前記運転者の運転操作に対する車両の燃費を評価する評価手段と、
前記評価手段による評価結果を、前記表示手段に表示されている地図上の前記評価区間に対応する位置に表示するための制御を行う表示制御手段と、
を備えるナビゲーションシステム。
【請求項２】
前記評価手段は、前記単位区間毎の前記評価情報に基づき、当該単位区間における前記運転者による運転操作に対する車両の燃費を評価し、
前記表示制御手段は、前記車両の走行経路を構成する全ての前記評価区間における評価結果が最良であって、且つ、当該車両の走行経路を構成する前記単位区間の中に評価結果が最良ではない単位区間が存在する場合、当該評価結果が最良ではない単位区間を案内するための制御を行う、
請求項１に記載のナビゲーションシステム。
【請求項３】
前記表示制御手段は、前記車両の走行経路を構成する全ての前記評価区間における評価結果が最良であって、且つ、当該車両の走行経路を構成する前記単位区間の中に評価結果が最良ではない単位区間が存在する場合、当該評価結果が最良ではない単位区間を含む評価区間における評価結果が最良ではなくなる当該評価区間の距離を特定し、当該特定した距離に基づいて地図の縮尺を決定し、前記表示手段に表示されている地図の縮尺を当該決定した縮尺に変更し、当該縮尺を変更した地図上で当該評価結果が最良ではない単位区間を案内するための制御を行う、
請求項２に記載のナビゲーションシステム。
【請求項４】
前記評価情報取得手段は、前記運転者による運転操作が燃費向上に適したものであるか否かを逐次判定し、前記単位区間毎に、当該単位区間内での前記判定結果を前記評価情報として取得し、
前記評価手段は、前記評価区間に含まれる前記単位区間毎の前記評価情報に基づき、当該評価区間において前記運転者による運転操作が燃費向上に適していた際の前記車両の走行距離が占める割合を特定し、当該特定した割合に基づき、当該評価区間における前記運転者の運転操作に対する車両の燃費を評価する、
請求項１から３のいずれか一項に記載のナビゲーションシステム。
【請求項５】
評価情報取得手段が、運転者による運転操作に対する車両の燃費を、所定距離の単位区間毎に評価した評価情報を取得する評価情報取得ステップと、
評価手段が、前記運転操作に対する燃費を評価するための評価区間を決定するとともに、当該評価区間の距離を表示手段に表示されている地図の縮尺が小さくなるほど長くなるように決定し、当該評価区間に含まれる前記単位区間毎に評価した前記評価情報に基づいて、当該評価区間における前記運転者の運転操作に対する車両の燃費を評価する評価ステップと、
表示制御手段が、前記評価ステップにおける評価結果を、前記表示手段に表示されている地図上の前記評価区間に対応する位置に表示するための制御を行う表示制御ステップと、
を含むナビゲーション方法。
【請求項６】
コンピュータを、
運転者による運転操作に対する車両の燃費を、所定距離の単位区間毎に評価した評価情報を取得する評価情報取得手段と、
前記運転操作に対する燃費を評価するための評価区間を決定するとともに、当該評価区間の距離を表示手段に表示されている地図の縮尺が小さくなるほど長くなるように決定し、当該評価区間に含まれる前記単位区間毎に評価した前記評価情報に基づいて、当該評価区間における前記運転者の運転操作に対する車両の燃費を評価する評価手段と、
前記評価手段による評価結果を、前記表示手段に表示されている地図上の前記評価区間に対応する位置に表示するための制御を行う表示制御手段と、
として機能させるためのナビゲーションプログラム。
【発明の詳細な説明】
【技術分野】
【０００１】
本発明は、ナビゲーションシステム、ナビゲーション方法、及びナビゲーションプログラムに関する。
【背景技術】
【０００２】
従来、車両の走行経路を案内するナビゲーションシステムが用いられている。近年では、燃料費節約や環境保全の観点から省燃費走行への要求が高まっており、車両の走行における燃費低減を目的とした案内を行うナビゲーションシステムも提案されている。
【０００３】
例えば、車両の運転状態の情報と当該運転状態でのエコインジケータの点消灯の状態の情報とを逐次取得して記憶部に格納し、ユーザからの要求があった場合に当該記憶部に格納されている複数の運転状態の情報および当該運転状態でのエコインジケータの点消灯の状態の情報をもとに、運転状態と当該運転状態でのエコインジケータの点消灯の状態との時系列に沿った変化を示す表示を行う、携帯機及び車両システムが提案されている（例えば、特許文献１参照）。
【先行技術文献】
【特許文献】
【０００４】
【特許文献１】特開２０１０−１８２１０８号公報
【発明の概要】
【発明が解決しようとする課題】
【０００５】
しかしながら、上述の如き従来のシステムは、単にエコインジケータの点消灯の状態の時系列に沿った変化を示す表示を行うものに過ぎなかった。このため、エコインジケータの点消灯の状態を示すマークを地図上に表示することで当該エコインジケータの点消灯の状態の時系列に沿った変化を示す場合、地図の縮尺を小さくするほど（地図の表示範囲を広域とするほど）各マークの相互間隔が縮小してマーク同士の重なりが発生し、ユーザにとって視認性の悪い表示となってしまう可能性があった。
【０００６】
本発明は、上記に鑑みてなされたものであって、ユーザにとって視認しやすい態様で、運転者による運転操作の評価結果を地図上に表示することができる、ナビゲーションシステム、ナビゲーション方法、及びナビゲーションプログラムを提供することを目的とする。
【課題を解決するための手段】
【０００７】
上述した課題を解決し、目的を達成するために、請求項１に記載のナビゲーションシステムは、運転者による運転操作に対する車両の燃費を、所定距離の単位区間毎に評価した評価情報を取得する評価情報取得手段と、前記運転操作に対する燃費を評価するための評価区間を決定するとともに、当該評価区間の距離を表示手段に表示されている地図の縮尺が小さくなるほど長くなるように決定し、当該評価区間に含まれる前記単位区間毎に評価した前記評価情報に基づいて、当該評価区間における前記運転者の運転操作に対する車両の燃費を評価する評価手段と、前記評価手段による評価結果を、前記表示手段に表示されている地図上の前記評価区間に対応する位置に表示するための制御を行う表示制御手段と、を備える。
【０００８】
請求項２に記載のナビゲーションシステムは、請求項１に記載のナビゲーションシステムにおいて、前記評価手段は、前記単位区間毎の前記評価情報に基づき、当該単位区間における前記運転者による運転操作に対する車両の燃費を評価し、前記表示制御手段は、前記車両の走行経路を構成する全ての前記評価区間における評価結果が最良であって、且つ、当該車両の走行経路を構成する前記単位区間の中に評価結果が最良ではない単位区間が存在する場合、当該評価結果が最良ではない単位区間を案内するための制御を行う。
【０００９】
また、請求項３に記載のナビゲーションシステムは、請求項２に記載のナビゲーションシステムにおいて、前記表示制御手段は、前記車両の走行経路を構成する全ての前記評価区間における評価結果が最良であって、且つ、当該車両の走行経路を構成する前記単位区間の中に評価結果が最良ではない単位区間が存在する場合、当該評価結果が最良ではない単位区間を含む評価区間における評価結果が最良ではなくなる当該評価区間の距離を特定し、当該特定した距離に基づいて地図の縮尺を決定し、前記表示手段に表示されている地図の縮尺を当該決定した縮尺に変更し、当該縮尺を変更した地図上で当該評価結果が最良ではない単位区間を案内するための制御を行う。
【００１０】
また、請求項４に記載のナビゲーションシステムは、請求項１から３のいずれか一項に記載のナビゲーションシステムにおいて、前記評価情報取得手段は、前記運転者による運転操作が燃費向上に適したものであるか否かを逐次判定し、前記単位区間毎に、当該単位区間内での前記判定結果を前記評価情報として取得し、前記評価手段は、前記評価区間に含まれる前記単位区間毎の前記評価情報に基づき、当該評価区間において前記運転者による運転操作が燃費向上に適していた際の前記車両の走行距離が占める割合を特定し、当該特定した割合に基づき、当該評価区間における前記運転者の運転操作に対する車両の燃費を評価する。
【００１１】
また、請求項５に記載のナビゲーション方法は、評価情報取得手段が、運転者による運転操作に対する車両の燃費を、所定距離の単位区間毎に評価した評価情報を取得する評価情報取得ステップと、評価手段が、前記運転操作に対する燃費を評価するための評価区間を決定するとともに、当該評価区間の距離を表示手段に表示されている地図の縮尺が小さくなるほど長くなるように決定し、当該評価区間に含まれる前記単位区間毎に評価した前記評価情報に基づいて、当該評価区間における前記運転者の運転操作に対する車両の燃費を評価する評価ステップと、表示制御手段が、前記評価ステップにおける評価結果を、前記表示手段に表示されている地図上の前記評価区間に対応する位置に表示するための制御を行う表示制御ステップとを含む。
【００１２】
また、請求項６に記載のナビゲーションプログラムは、コンピュータを、運転者による運転操作に対する車両の燃費を、所定距離の単位区間毎に評価した評価情報を取得する評価情報取得手段と、前記運転操作に対する燃費を評価するための評価区間を決定するとともに、当該評価区間の距離を表示手段に表示されている地図の縮尺が小さくなるほど長くなるように決定し、当該評価区間に含まれる前記単位区間毎に評価した前記評価情報に基づいて、当該評価区間における前記運転者の運転操作に対する車両の燃費を評価する評価手段と、前記評価手段による評価結果を、前記表示手段に表示されている地図上の前記評価区間に対応する位置に表示するための制御を行う表示制御手段と、として機能させる。
【発明の効果】
【００１３】
請求項１に記載のナビゲーションシステム、請求項５に記載のナビゲーション方法、及び請求項６に記載のナビゲーションプログラムによれば、運転者による運転操作に対する車両の燃費を、所定距離の単位区間毎に評価した評価情報を取得し、運転操作に対する燃費を評価するための評価区間を決定するとともに、当該評価区間の距離を表示手段に表示されている地図の縮尺が小さくなるほど長くなるように決定し、当該評価区間に含まれる単位区間毎に評価した評価情報に基づいて、当該評価区間における運転者の運転操作に対する車両の燃費を評価し、評価結果を、表示手段に表示されている地図上の前記評価区間に対応する位置に表示するための制御を行うので、地図の縮尺に応じて、表示手段に表示される各評価結果同士の相互間隔を適切な距離に保持することができ、ユーザにとって視認しやすい態様で、運転者による運転操作の評価結果を地図上に表示することができる。
【００１４】
また、請求項２に記載のナビゲーションシステムによれば、表示制御手段は、車両の走行経路を構成する全ての評価区間における評価結果が最良であって、且つ、当該車両の走行経路を構成する単位区間の中に評価結果が最良ではない単位区間が存在する場合、当該評価結果が最良ではない単位区間を案内するための制御を行うので、評価区間の距離によっては全ての評価区間における評価結果が最良となる場合においても、評価結果が最良ではない単位区間をユーザに把握させることができ、運転操作を改善可能な区間をユーザに通知することができる。
【００１５】
また、請求項３に記載のナビゲーションシステムによれば、表示制御手段は、車両の走行経路を構成する全ての評価区間における評価結果が最良であって、且つ、当該車両の走行経路を構成する単位区間の中に評価結果が最良ではない単位区間が存在する場合、当該評価結果が最良ではない単位区間を含む評価区間における評価結果が最良ではなくなる当該評価区間の距離を特定し、当該特定した距離に基づいて地図の縮尺を決定し、表示手段に表示されている地図の縮尺を当該決定した縮尺に変更し、当該縮尺を変更した地図上で当該評価結果が最良ではない単位区間を案内するための制御を行うので、評価結果が最良ではない単位区間を含む評価区間をユーザに把握させることができ、運転操作を改善可能な区間を一層容易にユーザに把握させることができる。
【００１６】
また、請求項４に記載のナビゲーションシステムによれば、評価情報取得手段は、運転者による運転操作が燃費向上に適したものであるか否かを逐次判定し、単位区間毎に、当該単位区間内での判定結果を前記評価情報として取得し、評価手段は、評価区間に含まれる単位区間毎の評価情報に基づき、当該評価区間において運転者による運転操作が燃費向上に適していた際の車両の走行距離が占める割合を特定し、当該特定した割合に基づき、当該評価区間における運転者の運転操作に対する車両の燃費を評価するので、評価区間において運転者が燃費向上に適した運転操作を行った割合に応じて、評価区間において運転者による運転操作が燃費向上に適したものであるか否かを適切に判定することができる。
【図面の簡単な説明】
【００１７】
【図１】実施の形態に係るナビゲーションシステムを例示するブロック図である。
【図２】評価情報取得処理のフローチャートである。
【図３】エコランプ等を表示するメーターパネルを例示した図であり、図３（ａ）はガソリン車の場合を例示した図、図３（ｂ）はハイブリッド車の場合を例示した図である。
【図４】表示制御処理のフローチャートである。
【図５】評価処理のフローチャートである。
【図６】各評価区間における運転者による運転操作の評価結果を表示したディスプレイを例示した図である。
【図７】最終評価結果を表示するディスプレイを例示した図である。
【図８】非最良単位区間案内処理のフローチャートである。
【発明を実施するための形態】
【００１８】
以下、本発明に係るナビゲーションシステム、ナビゲーション方法、及びナビゲーションプログラムの実施の形態について図面を参照しつつ詳細に説明する。ただし、この実施の形態によって本発明が限定されるものではない。
【００１９】
（構成）
最初に、ナビゲーションシステムの構成について説明する。図１は、本実施の形態に係るナビゲーションシステムを例示するブロック図である。ナビゲーションシステム１は例えば車両に搭載されており、図１に示すように、ＥＣＵ２（Ｅｌｅｃｔｒｏｎｉｃ  Ｃｏｎｔｒｏｌ  Ｕｎｉｔ）、現在位置検出処理部３、操作部４、ディスプレイ５、及びスピーカ６に接続されている。
【００２０】
（構成−ＥＣＵ）
ＥＣＵ２は、車両の各部の状態を各種センサを介して監視し、車両のエンジンやモータジェネレータ等の動力系、トランスミッション、駆動系、制動系等（いずれも図示省略）の車両の各部を制御する。例えば、車軸の回転数に比例する車速パルス信号を車速センサから取得してトランスミッションを制御したり、Ｏ２センサから取得した排気ガス中の酸素濃度等に基づいて燃料噴射装置（図示省略）を制御する。このＥＣＵ２から、車速パルス信号や燃料噴射量等の各種情報がナビゲーションシステム１に入力される。
【００２１】
（構成−現在位置検出処理部）
現在位置検出処理部３は、車両の現在位置を検出する現在位置検出手段である。具体的には、現在位置検出処理部３は、ＧＰＳ、地磁気センサ、距離センサ、又はジャイロセンサ（いずれも図示省略）の少なくとも一つを有し、現在の車両の位置（座標）及び方位等を公知の方法にて検出する。
【００２２】
（構成−操作部）
操作部４は、ユーザによる操作入力を受け付ける操作手段である。この操作部４の具体的な構成は任意であり、例えば、ディスプレイ５の前面に設けたタッチパネル、押しボタン、リモートコントローラの如き遠隔操作手段、あるいは、音声入力を受け付けるマイクの如き音声認識手段を用いて操作部４を構成することができる。
【００２３】
（構成−ディスプレイ）
ディスプレイ５は、ナビゲーションシステム１の制御に基づいて各種情報の表示出力を行う出力手段である。なお、このディスプレイ５の具体的な構成は任意であり、公知の液晶ディスプレイや有機ＥＬディスプレイの如きフラットパネルディスプレイを使用することができる。
【００２４】
（構成−スピーカ）
スピーカ６は、ナビゲーションシステム１の制御に基づいて各種の音声を出力する出力手段である。スピーカ６より出力される音声の具体的な態様は任意であり、必要に応じて生成された合成音声や、予め録音された音声を出力することができる。
【００２５】
（構成−ナビゲーションシステム）
ナビゲーションシステム１は、制御部１０、及びデータ記録部２０を備えている。
【００２６】
（構成−ナビゲーションシステム−制御部）
制御部１０は、ナビゲーションシステム１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係るナビゲーションプログラムは、任意の記録媒体又はネットワークを介してナビゲーションシステム１にインストールされることで、制御部１０の各部を実質的に構成する。
【００２７】
この制御部１０は、機能概念的に、評価情報取得部１１、評価部１２、及び表示制御部１３を備えている。評価情報取得部１１は、車両の運転者による運転操作を評価する際の指標となる評価情報を、所定距離の単位区間毎に取得する評価情報取得手段である。評価部１２は、各評価区間における運転者による運転操作を評価する評価手段である。表示制御部１３は、評価部１２による評価結果を、ディスプレイ５に表示されている地図上の各評価区間に対応する位置に表示するための制御を行う表示制御手段である。これらの制御部１０の各部によって実行される処理の詳細については後述する。
【００２８】
（構成−ナビゲーションシステム−データ記録部）
データ記録部２０は、ナビゲーションシステム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２９】
このデータ記録部２０は、地図情報データベース２１（以下、データベースをＤＢと略記する）、及び評価情報ＤＢ２２を備えている。
【００３０】
地図情報ＤＢ２１は、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、施設データ（各施設の位置、各施設の種別等）、地形データ、地図をディスプレイ５に表示するための地図表示データ等を含んで構成されている。
【００３１】
評価情報ＤＢ２２は、車両の運転者による運転操作を評価する際の指標となる評価情報を格納する評価情報格納手段である。なお、評価情報の具体的な内容や、評価情報ＤＢ２２に評価情報が格納されるタイミング等については後述する。
【００３２】
（処理）
次に、このように構成されたナビゲーションシステム１によって実行される処理について説明する。ナビゲーションシステム１によって実行される処理は、評価情報取得処理と表示制御処理とに大別される。
【００３３】
（処理−評価情報取得処理）
まず、評価情報取得処理について説明する。図２は評価情報取得処理のフローチャートである（以下の各処理の説明ではステップを「Ｓ」と略記する）。この評価情報取得処理は、例えば、ナビゲーションシステム１に電源が投入され、操作部４を介した操作入力により車両の走行の目的地が設定された場合に開始される。ここで、「目的地の設定」とは、操作部４を介した操作入力により最終目的地が設定される場合の他、既に設定されている複数の目的地が操作部４を介した操作入力により並べ替えられ、異なる目的地が最終目的地として設定される場合、あるいは、既に設定されている最終目的地が消去され、他の目的地が最終目的地として設定される場合等も含む（後述する表示制御処理についても同じ）。
【００３４】
評価情報取得処理が開始されると、評価情報取得部１１は、出発地（例えば現在位置検出処理部３により検出された現在位置）から目的地までの経路案内が開始されるまで待機する（ＳＡ１、Ｎｏ）。なお、出発地から目的地までの経路探索や、当該探索結果に基づく経路案内の具体的な内容については、公知の経路探索方法や経路案内方法を用いることができるため、詳細な説明を省略する（後述する表示制御処理についても同じ）。
【００３５】
出発地から目的地までの経路案内が開始されると（ＳＡ１、Ｙｅｓ）、評価情報取得部１１は、運転者による運転操作が燃費向上に適したものであるか否かを逐次（例えば所定の単位時間毎に、あるいは所定の単位距離毎に）判定し、当該判定結果をＲＡＭ（図示省略）等に記録する（ＳＡ２）。具体的には、運転者による運転操作が燃費向上に適したものであるか否かを示すエコランプが車両のメーターパネル（図示省略）内に表示される場合において、評価情報取得部１１は、ＥＣＵ２等からエコランプの点消灯状態を特定するための情報を取得し、当該取得した情報に基づき、エコランプの点消灯状態を所定の単位時間毎、あるいは所定の単位距離毎に判定する。そして、当該判定結果をＲＡＭ等に記録する。なお「エコランプ」には、図３（ａ）に例示したエコランプ、あるいは図３（ｂ）に例示したエコドライブインジケータランプやインジケータ等が含まれる。
【００３６】
図３はエコランプ等を表示するメーターパネルを例示した図であり、図３（ａ）はガソリン車の場合を例示した図、図３（ｂ）はハイブリッド車の場合を例示した図である。例えば車両がガソリン車の場合には、ＥＣＵ２から入力されるアクセル開度等の情報に基づき、運転者による運転操作が燃費向上に適したものである場合（例えばアクセル開度が閾値以下の場合）に、図３（ａ）に示すようにエコランプが点灯される。一方、運転者による運転操作が燃費向上に適したものではない場合（例えばアクセル開度が閾値より大きい場合）、エコランプは消灯される。この場合において、評価情報取得部１１は、ＥＣＵ２等からエコランプの点消灯状態を特定するための情報を取得し、当該取得した情報に基づき、エコランプが点灯しているか否かを所定の単位時間毎、あるいは所定の単位距離毎に判定し、当該判定結果をＲＡＭ等に記録する。
【００３７】
また、車両がハイブリッド車の場合には、ＥＣＵ２から入力される動力源の使用状況等の情報に基づき、運転者による運転操作が燃費向上に適したものである場合に、図３（ｂ）に示すようにエコドライブインジケータランプが点灯される。例えば、回生ブレーキが作動している場合や駆動力としてモータのみを使用している場合（図３（ｂ）においてインジケータが「ＨＶエコゾーン」に該当する場合）、あるいは、駆動力としてエンジンも使用しているがエンジン回転数が閾値以下の場合（図３（ｂ）においてインジケータが「エコゾーン」に該当する場合）等に、エコドライブインジケータランプが点灯される。一方、運転者による運転操作が燃費向上に適したものではない場合、例えば駆動力としてエンジンも使用しており、エンジン回転数が閾値より大きい場合（図３（ｂ）においてインジケータが「パワーエリア」に該当する場合）、エコドライブインジケータランプは消灯される。この場合において、評価情報取得部１１は、ＥＣＵ２等からエコドライブインジケータランプやインジケータの点消灯状態を特定するための情報を取得し、当該取得した情報に基づき、エコドライブインジケータランプが点灯しているか否か、及びエコドライブインジケータランプが点灯している場合にはインジケータが「ＨＶエコゾーン」又は「エコゾーン」のいずれに該当するかを所定の単位時間毎、あるいは所定の単位距離毎に判定し、当該判定結果をＲＡＭ等に記録する。
【００３８】
図２に戻り、ＳＡ２の処理の後、評価情報取得部１１は、車両が単位区間を走行したか否かを判定する（ＳＡ３）。ここで「単位区間」とは、所定距離の区間を意味する。「所定距離」としては、例えば固定値（例えば１００ｍ）を用いることができる。あるいは、車両の走行経路を等間隔で区分した距離、すなわち車両の走行経路を構成する単位となる区間の距離を「所定距離」としてもよい。例えば車両の走行経路を構成する１００ｍ毎の区間を「単位区間」とした場合、評価情報取得部１１は、前回ＳＡ３の処理を行ってから（ＳＡ３の処理を初めて行う場合にはＳＡ１で経路案内が開始されてから）車両が１００ｍ走行した場合に、当該車両が単位区間を走行したと判定する。
【００３９】
その結果、車両が単位区間を走行していない場合（ＳＡ３、Ｎｏ）、評価情報取得部１１はＳＡ２に戻る。以降、車両が単位区間を走行した（ＳＡ３、Ｙｅｓ）と判定されるまで、ＳＡ２及びＳＡ３の処理を繰り返す。
【００４０】
一方、車両が単位区間を走行した場合（ＳＡ３、Ｙｅｓ）、評価情報取得部１１は、車両が走行した単位区間内での判定結果を評価情報として取得する（ＳＡ４）。
【００４１】
例えば車両がガソリン車の場合、評価情報取得部１１はＲＡＭを参照し、当該車両が単位区間を走行している間における、エコランプが点灯しているか否かの判定結果を評価情報として取得する。具体的には、評価情報取得部１１は、車両が走行した単位区間の距離を特定する情報、及び、当該単位区間においてエコランプが点灯した状態で車両が走行した距離を特定する情報等を、評価情報として取得する。
【００４２】
また、車両がハイブリッド車の場合、評価情報取得部１１はＲＡＭを参照し、当該車両が単位区間を走行している間における、エコドライブインジケータランプが点灯しているか否か、及びエコドライブインジケータランプが点灯している場合にはインジケータが「ＨＶエコゾーン」又は「エコゾーン」のいずれに該当するかの判定結果を評価情報として取得する。具体的には、評価情報取得部１１は、車両が走行した単位区間の距離を特定する情報、当該単位区間においてエコドライブインジケータランプが点灯した状態で車両が走行した距離を特定する情報、及び、当該単位区間においてインジケータが「ＨＶエコゾーン」に該当する状態で車両が走行した距離を特定する情報等を、評価情報として取得する。
【００４３】
続いて評価情報取得部１１は、ＳＡ４で取得した評価情報を、車両が走行した単位区間を特定する情報（例えば車両が走行した単位区間の始点と終点との座標情報や、当該単位区間が位置するリンクのリンク番号等）に関連付けて、評価情報ＤＢ２２に格納する（ＳＡ５）。
【００４４】
その後、評価情報取得部１１は車両が目的地に到着したか否かを判定し（ＳＡ６）、目的地に到着していない場合（ＳＡ６、Ｎｏ）、ＳＡ２に戻る。以降、車両が目的地に到着するまで、ＳＡ２からＳＡ６の処理を繰り返す。これにより、車両の運転者による運転操作を評価する際の指標となる評価情報が、所定距離の単位区間毎に取得される。
【００４５】
一方、車両が目的地に到着した場合（ＳＡ６、Ｙｅｓ）、評価情報取得部１１は評価情報取得処理を終了する。この際、評価情報取得部１１は、車両が目的地に到着するまでＳＡ５で評価情報ＤＢ２２に格納された評価情報に関連付けて、車両が走行した走行経路を特定する情報（例えば、出発地と目的地との座標情報）、評価情報が取得された日時を特定する情報、出発地から目的地に至る走行に対する最終的な評価結果を特定する情報等を、当該評価情報ＤＢ２２に格納する。
【００４６】
（処理−表示制御処理）
次に、表示制御処理について説明する。図４は表示制御処理のフローチャートである。この表示制御処理は、例えば、ナビゲーションシステム１に電源が投入され、操作部４を介した操作入力により車両の走行の目的地が設定された場合に開始され、上述の評価情報取得処理と並行して実行される。
【００４７】
表示制御処理が開始されると、評価部１２は、出発地（例えば現在位置検出処理部３により検出された現在位置）から目的地までの経路案内が開始されるまで待機する（ＳＢ１、Ｎｏ）。
【００４８】
出発地から目的地までの経路案内が開始されると（ＳＢ１、Ｙｅｓ）、評価部１２は、ディスプレイ５に表示されている地図の縮尺を特定する（ＳＢ２）。すなわち評価部１２は、出発地から目的地までの経路案内のためにディスプレイ５に表示されている地図の縮尺を特定する。
【００４９】
次に評価部１２は、ＳＢ２で特定した地図の縮尺に基づき、運転者による運転操作を評価するための評価区間の距離を決定する（ＳＢ３）。例えば、地図の縮尺と評価区間の距離との対応関係を特定するテーブルを予めデータ記録部２０に記録しておき、当該テーブルを参照することにより、評価部１２は評価区間の距離を決定する（例えば、縮尺が１／１００００の場合には評価区間の距離が１００ｍ、縮尺が１／２００００の場合には評価区間の距離が２００ｍ等）。なお、地図の縮尺が小さくなるほど（ディスプレイ５に表示される地図の表示範囲が広域となるほど）、評価区間の距離が長くなるように決定される。
【００５０】
続いて評価部１２は、出発地から目的地までの走行経路について、過去の走行時の評価情報取得処理において評価情報ＤＢ２２に格納された評価情報の有無を判定する（ＳＢ４）。例えば評価部１２は、ＳＢ１で案内が開始された経路の出発地と目的地との座標情報と、ＳＢ１で経路案内が開始される以前の日時とに関連付けて、評価情報ＤＢ２２に評価情報が格納されている場合、出発地から目的地までの走行経路について過去の走行時の評価情報取得処理において評価情報ＤＢ２２に格納された評価情報が有ると判定する。
【００５１】
その結果、出発地から目的地までの走行経路について、過去の走行時の評価情報取得処理において評価情報ＤＢ２２に格納された評価情報が有る場合（ＳＢ４、Ｙｅｓ）、評価部１２は、当該過去の走行について、ＳＢ３で当該評価部１２が決定した距離の各評価区間に含まれる単位区間毎の評価情報を評価情報ＤＢ２２から取得し、当該取得した評価情報に基づき、各評価区間における運転者による運転操作を評価する（ＳＢ５）。なお、過去に出発地から目的地までの走行が複数回行われ、各走行に対応する評価情報が評価情報ＤＢ２２に格納されている場合には、例えば、出発地から目的地までの最後の走行において取得された評価情報を評価情報ＤＢ２２から取得する。あるいは、出発地から目的地までの走行に対する最終的な評価結果が最高の評価であった際に取得された評価情報を評価情報ＤＢ２２から取得する。また、操作部４を介して入力された指示入力に基づき、どの評価情報を評価情報ＤＢ２２から取得するのかを決定するようにしてもよい。
【００５２】
具体的には、評価部１２は、出発地から目的地までの走行経路を、ＳＢ３で当該評価部１２が決定した距離の評価区間に区分する。そして、当該区分した各評価区間の始点と終点との座標情報や、当該評価区間が位置するリンクのリンク番号等に基づき、当該評価区間に含まれる単位区間を特定し、当該特定した各単位区間の評価情報を評価情報ＤＢ２２から取得する。このように取得した評価情報に基づき、各評価区間において運転者による運転操作が燃費向上に適していた際の車両の走行距離が占める割合を特定し、当該特定した割合に基づき、各評価区間における運転者による運転操作を評価する。
【００５３】
例えば車両がガソリン車の場合、評価部１２は、各評価区間においてエコランプが点灯した状態で車両が走行した距離が占める割合を特定し、当該特定した割合に基づき、各評価区間における運転者による運転操作を評価する。すなわち評価部１２は、評価区間に含まれる各単位区間の評価情報に基づき、当該評価区間においてエコランプが点灯した状態で車両が走行した合計距離を算出する。そして、当該算出した距離を、評価区間の距離で除した値（すなわち、評価区間において運転者による運転操作が燃費向上に適していた際の車両の走行距離が占める割合）が所定の閾値（例えば０．９）以上の場合に、当該評価区間における運転者による運転操作が「良」であると評価し、所定の閾値未満の場合に、当該評価区間における運転者による運転操作が「非良」であると評価する。
【００５４】
また、車両がハイブリッド車の場合、評価部１２は、各評価区間においてエコドライブインジケータランプが点灯した状態で車両が走行した距離が占める割合、及び、各評価区間においてインジケータが「ＨＶエコゾーン」に該当する状態で車両が走行した距離が占める割合を特定し、当該特定した割合に基づき、各評価区間における運転者による運転操作を評価する。
【００５５】
図５は、車両がハイブリッド車の場合において評価部１２が各評価区間における運転者による運転操作を評価する際の評価処理のフローチャートである。この図５に示すように、評価処理が開始されると、評価部１２は、評価区間に含まれる各単位区間の評価情報に基づき、当該評価区間においてエコドライブインジケータランプが点灯した状態で車両が走行した合計距離を算出し、当該算出した距離を、評価区間の距離で除した値（すなわち、評価区間において運転者による運転操作が燃費向上に適していた際の車両の走行距離が占める割合）が所定の閾値Ａ（例えば０．９）以上か否かを判定する（ＳＣ１）。
【００５６】
その結果、評価区間においてエコドライブインジケータランプが点灯した状態で車両が走行した距離を評価区間の距離で除した値が所定の閾値Ａ以上ではない（閾値Ａ未満である）場合（ＳＣ１、Ｎｏ）、評価部１２は当該評価区間における運転者による運転操作が「非良」であると評価する（ＳＣ２）。
【００５７】
一方、評価区間においてエコドライブインジケータランプが点灯した状態で車両が走行した距離を評価区間の距離で除した値が所定の閾値Ａ以上である場合（ＳＣ１、Ｙｅｓ）、評価部１２は、評価区間に含まれる各単位区間の評価情報に基づき、当該評価区間においてインジケータが「ＨＶエコゾーン」に該当する状態で車両が走行した合計距離を算出し、当該算出した距離を、評価区間の距離で除した値（すなわち、評価区間において運転者による運転操作が燃費向上に特に適していた際の車両の走行距離が占める割合）が所定の閾値Ｂ（例えば０．７）以上か否かを判定する（ＳＣ３）。
【００５８】
その結果、評価区間においてインジケータが「ＨＶエコゾーン」に該当する状態で車両が走行した距離を評価区間の距離で除した値が所定の閾値Ｂ以上ではない（閾値Ｂ未満である）場合（ＳＣ３、Ｎｏ）、評価部１２は当該評価区間における運転者による運転操作が「良」であると評価する（ＳＣ４）。
【００５９】
一方、評価区間においてインジケータが「ＨＶエコゾーン」に該当する状態で車両が走行した距離を評価区間の距離で除した値が所定の閾値Ｂ以上である場合（ＳＣ３、Ｙｅｓ）、評価部１２は当該評価区間における運転者による運転操作が「優良」であると評価する（ＳＣ５）。
【００６０】
ＳＣ２、ＳＣ４、又はＳＣ５の処理の後、評価部１２は評価処理を終了する。
【００６１】
図４に戻り、ＳＢ５の処理の後、表示制御部１３は、出発地から目的地までの過去の走行について、各評価区間における運転者による運転操作の評価結果を、ディスプレイ５に表示されている地図上の評価区間に対応する位置に表示するための制御を行う（ＳＢ６）。図６は、各評価区間における運転者による運転操作の評価結果を表示したディスプレイ５を例示した図である。この図６に示すように、表示制御部１３は、出発地から目的地までの過去の走行について、各評価区間における運転者による運転操作の評価結果を示す葉形マークを、各評価区間に対応する位置に表示させる。すなわち、１つの評価区間について１つの葉形マークが表示されている。また、各葉形マークは、各評価区間の評価結果に応じて異なる色彩（図６ではハッチングの濃淡）が付されている。この際、過去の走行についての評価結果であることを示すため、表示制御部１３は葉形マークを半透明（図６では点線で表現）としてディスプレイ５に表示させる。ここで、ＳＢ３において地図の縮尺に基づき評価区間の距離が適切に決定されているので、隣接する葉形マーク同士が重複することがなく、ユーザにとって視認性の良い表示となっている。
【００６２】
図４に戻り、ＳＢ４において、出発地から目的地までの走行経路について、過去に評価情報取得処理において評価情報ＤＢ２２に格納された評価情報が無い場合（ＳＢ４、Ｎｏ）、又はＳＢ６の処理の後、評価部１２は、今回の走行について、ＳＢ３で当該評価部１２が決定した距離の最新の評価区間に含まれる単位区間毎の評価情報を評価情報ＤＢ２２から取得し、当該取得した評価情報に基づき、当該最新の評価区間における運転者による運転操作を評価する（ＳＢ７）。具体的には、前回のＳＢ７の処理を行ってから（ＳＢ７の処理を初めて行う場合にはＳＢ１で経路案内が開始されてから）車両が評価区間の距離を走行する間に評価情報取得処理で評価情報ＤＢ２２に格納された評価情報を、当該評価情報ＤＢ２２から取得する。そして、当該取得した評価情報に基づき、最新の評価区間における運転者による運転操作を評価する。なお、当該最新の評価区間における運転者による運転操作の具体的な評価方法については、図４のＳＢ５で説明した過去の走行についての評価方法と同様であるので、説明を省略する。
【００６３】
続いて、表示制御部１３は、今回の走行について、最新の評価区間における運転者による運転操作の評価結果を、ディスプレイ５に表示されている地図上の当該評価区間に対応する位置に表示するための制御を行う（ＳＢ８）。図６の例では、表示制御部１３は、今回の走行について、最新の評価区間における運転者による運転操作の評価結果を示す葉形マークを、当該評価区間に対応する位置に表示させる。この際、今回の走行についての評価結果であることを示すため、表示制御部１３は葉形マークを不透明（図６では実線で表現）としてディスプレイ５に表示させる。このように、今回の走行において評価区間を走行する毎に順次評価結果が過去の評価結果を示す葉形マークの上に重畳表示されていくので、過去の走行の評価結果と今回の走行の評価結果とを一見して容易に把握させることができる。
【００６４】
図４に戻り、評価部１２は、ディスプレイ５に表示されている地図の縮尺が変更されたか否かを判定する（ＳＢ９）。その結果、ディスプレイ５に表示されている地図の縮尺が変更された場合（ＳＢ９、Ｙｅｓ）、ＳＢ２に戻り、ディスプレイ５に表示されている地図の縮尺を特定する（ＳＢ２）。
【００６５】
一方、ディスプレイ５に表示されている地図の縮尺が変更されていない場合（ＳＢ９、Ｎｏ）、評価部１２は、車両が目的地に到着したか否かを判定する（ＳＢ１０）。その結果、車両が目的地に到着していない場合（ＳＢ１０、Ｎｏ）、ＳＢ７に戻り、評価部１２は、今回の走行について、最新の評価区間に含まれる単位区間毎の評価情報を評価情報ＤＢ２２から取得し、当該取得した評価情報に基づき、当該最新の評価区間における運転者による運転操作を評価する（ＳＢ７）。以降、車両が目的地に到着するまで、ＳＢ７からＳＢ１０の処理を繰り返す。これにより、今回の走行の各評価区間における運転者による運転操作の評価結果が、過去の評価結果を示す葉形マークの上に順次重畳表示されていく。
【００６６】
車両が目的地に到着した場合（ＳＢ１０、Ｙｅｓ）、評価部１２は、出発地から目的地までの今回の走行における運転者による運転操作の最終評価を行い、その結果を表示制御部１３はディスプレイ５に表示させる（ＳＢ１１）。例えば評価部１２は、出発地から目的地までの今回の走行における車両の走行経路を構成する全ての単位区間における運転者による運転操作を、各単位区間の評価情報に基づいて評価する。そして、走行経路を構成する全ての単位区間のうち、評価結果が最良（例えばガソリン車の場合は「良」、ハイブリッド車の場合は「優良」）であった単位区間の割合に応じて、出発地から目的地までの今回の走行における運転者による運転操作の最終評価を行う（例えば、走行経路を構成する全ての単位区間の評価結果が最良であった場合に「ＧＯＬＤ」、７０％以上の単位区間で評価結果が最良であった場合に「ＳＩＬＶＥＲ」、評価結果が最良であった単位区間の割合が７０％未満の場合に「ＢＲＯＮＺＥ」等）。図７は、最終評価結果を表示するディスプレイ５を例示した図である。この図７に示すように、表示制御部１３は、評価部１２による評価に基づき、出発地から目的地までの今回の走行における運転者による運転操作の最終評価結果（図７では「ＧＯＬＤ」）をディスプレイ５に表示させる。これと共に、図７の例では、今回の走行の出発地「自宅」及び目的地「会社」、出発地から目的地までの今回の走行における燃費（２４．５ｋｍ／Ｌ）、出発地から目的地までの前回の走行における燃費（２３．５ｋｍ／Ｌ）、及び出発地から目的地までの過去の走行における最高燃費（２３．９ｋｍ／Ｌ）がディスプレイ５に表示されている。
【００６７】
図４に戻り、ＳＢ１１の処理の後、表示制御部１３は、車両の走行経路を構成する各単位区間の中に評価結果が最良ではない単位区間（以下、必要に応じて「非最良単位区間」）が存在するか否かを判定する（ＳＢ１２）。具体的には、評価部１２が、出発地から目的地までの今回の走行における車両の走行経路を構成する全ての単位区間における運転者による運転操作を、各単位区間の評価情報に基づいて評価する。その結果、評価結果が最良ではない単位区間がある場合に、表示制御部１３は車両の走行経路を構成する各単位区間の中に非最良単位区間が存在すると判定する。
【００６８】
その結果、車両の走行経路を構成する各単位区間の中に非最良単位区間が存在しない場合（ＳＢ１２、Ｎｏ）、制御部１０は表示制御処理を終了する。
【００６９】
一方、車両の走行経路を構成する各単位区間の中に非最良単位区間が存在する場合（ＳＢ１２、Ｙｅｓ）、表示制御部１３は、非最良単位区間案内処理を実行する（ＳＢ１３）。その後、制御部１０は表示制御処理を終了する。
【００７０】
図８は、非最良単位区間案内処理のフローチャートである。この図８に示すように、非最良単位区間案内処理が開始されると、評価部１２は、車両の走行経路を構成する全ての評価区間における評価結果が最良か否かを判定する（ＳＤ１）。すなわち評価部１２は、図４の表示制御処理のＳＢ７で、今回の走行について各評価区間における運転者による運転操作を評価した結果、全ての評価区間における評価結果が最良であったか否かを判定する。
【００７１】
その結果、車両の走行経路を構成する全ての評価区間における評価結果が最良ではない場合（ＳＤ１、Ｎｏ）、制御部１０は非最良単位区間案内処理を終了する。
【００７２】
一方、車両の走行経路を構成する全ての評価区間における評価結果が最良である場合（ＳＤ１、Ｙｅｓ）、表示制御部１３は、非最良単位区間を含む評価区間における評価結果が最良ではなくなる当該評価区間の距離を特定する（ＳＤ２）。具体的には、表示制御部１３は、図４のＳＢ３で決定された値よりも評価区間の距離を短くし、当該距離を短くした各評価区間の中で非最良単位区間を含む評価区間における運転者による運転操作を評価する。このように、評価区間の距離を段階的に短くしながら（例えば、評価区間の距離を５００ｍ、２００ｍ、１００ｍと順次短くしながら）、非最良単位区間を含む評価区間における運転者による運転操作を評価し、その評価結果が最良ではなくなった場合の評価区間の距離を特定する。
【００７３】
続いて表示制御部１３は、ＳＤ２で特定した評価区間の距離に基づいて地図の縮尺を決定する（ＳＤ３）。例えば表示制御部１３は、地図の縮尺と評価区間の距離との対応関係を特定するテーブルを参照することにより、ＳＤ２で特定した評価区間の距離に対応する地図の縮尺を決定する（例えば、ＳＤ２で特定した評価区間の距離が１００ｍの場合には縮尺が１／１００００、ＳＤ２で特定した評価区間の距離が２００ｍの場合には縮尺が１／２００００等）。
【００７４】
続いて表示制御部１３は、ディスプレイ５に表示されている地図の縮尺を、ＳＤ３で当該表示制御部１３が決定した縮尺に変更する（ＳＤ４）。
【００７５】
そして、表示制御部１３は、今回の走行について、ＳＤ２で当該表示制御部１３が決定した距離の各評価区間に含まれる単位区間毎の評価情報を評価情報ＤＢ２２から取得し、当該取得した評価情報に基づき、各評価区間における運転者による運転操作を評価する（ＳＤ５）。具体的には、今回の走行において車両が目的地に到着するまでの間に評価情報取得処理で評価情報ＤＢ２２に格納された評価情報を、当該評価情報ＤＢ２２から取得する。そして、当該取得した評価情報に基づき、各評価区間における運転者による運転操作を評価する。なお、各評価区間における運転者による運転操作の具体的な評価方法については、図４のＳＢ５で説明した過去の走行についての評価方法と同様であるので、説明を省略する。
【００７６】
続いて、表示制御部１３は、今回の走行について、ＳＤ２で当該表示制御部１３が決定した距離の各評価区間における運転者による運転操作の評価結果を、ディスプレイ５に表示されている地図上の評価区間に対応する位置に表示するための制御を行う（ＳＤ６）。非最良単位区間を含む評価区間については評価結果が最良ではないため、最良ではない評価結果に対応する葉形マークがディスプレイ５上に表示される。これにより、当該評価区間に非最良単位区間が含まれていることをユーザに案内することができる。
【００７７】
ＳＤ６の処理の後、制御部１０は非最良単位区間案内処理を終了し、メインルーチンに戻る。
【００７８】
（効果）
このように本実施の形態によれば、評価部１２は、運転者による運転操作を評価するための評価区間の距離を、ディスプレイ５に表示されている地図の縮尺に基づいて決定し、当該決定した距離の各評価区間に含まれる単位区間毎の評価情報に基づき、各評価区間における運転者による運転操作を評価し、表示制御部１３は、当該評価部１２よる評価結果を、ディスプレイ５に表示されている地図上の評価区間に対応する位置に表示するための制御を行うので、地図の縮尺に応じて、ディスプレイ５に表示される各評価結果同士の相互間隔を適切な距離に保持することができ、ユーザにとって視認しやすい態様で、運転者による運転操作の評価結果を地図上に表示することができる。
【００７９】
また、表示制御部１３は、車両の走行経路を構成する全ての評価区間における評価結果が最良であって、且つ、当該車両の走行経路を構成する各単位区間の中に評価結果が最良ではない単位区間が存在する場合、評価結果が最良ではない単位区間を案内するための制御を行うので、評価区間の距離によっては全ての評価区間における評価結果が最良となる場合においても、評価結果が最良ではない単位区間をユーザに把握させることができ、運転操作を改善可能な区間をユーザに通知することができる。
【００８０】
特に、表示制御部１３は、車両の走行経路を構成する全ての評価区間における評価結果が最良であって、且つ、当該車両の走行経路を構成する各単位区間の中に評価結果が最良ではない単位区間が存在する場合、当該評価結果が最良ではない単位区間を含む評価区間における評価結果が最良ではなくなる評価区間の距離を特定し、当該特定した距離に基づいて地図の縮尺を決定し、ディスプレイ５に表示されている地図の縮尺を当該決定した縮尺に変更し、縮尺を変更した地図上で評価結果が最良ではない単位区間を案内するための制御を行うので、評価結果が最良ではない単位区間を含む評価区間をユーザに把握させることができ、運転操作を改善可能な区間を一層容易にユーザに把握させることができる。
【００８１】
また、評価情報取得部１１は、運転者による運転操作が燃費向上に適したものであるか否かを逐次判定し、単位区間毎に、当該単位区間内での判定結果を評価情報として取得し、評価部１２は、各評価区間に含まれる単位区間毎の評価情報に基づき、当該各評価区間において運転者による運転操作が燃費向上に適していた際の車両の走行距離が占める割合を特定し、当該特定した割合に基づき、各評価区間における運転者による運転操作を評価するので、各評価区間において運転者が燃費向上に適した運転操作を行った割合に応じて、各評価区間において運転者による運転操作が燃費向上に適したものであるか否かを適切に判定することができる。
【００８２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００８４】
（分散や統合について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。例えば、ナビゲーションシステム１を一体の装置として車両に搭載してもよく、あるいは、ナビゲーションシステム１の一部又は全部（例えば、制御部１０における評価部１２や、データ記録部２０における評価情報ＤＢ２２等）を、ネットワークを介して車両と通信可能に接続されたセンター装置に設けることとしてもよい。
【００８５】
（評価情報取得処理について）
上述の実施の形態では、図２で示した評価情報取得処理のＳＡ２において、評価情報取得部１１は、ＥＣＵ２等からエコランプの点消灯状態を特定するための情報を取得し、当該取得した情報に基づき、エコランプの点消灯状態を逐次判定する場合を例として説明したが、アクセル開度、ブレーキ踏力、動力源の使用状況等を特定するための情報をＥＣＵ２から直接取得し、当該取得した情報に基づき、運転者による運転操作が燃費向上に適したものであるか否かを当該評価情報取得部１１が逐次判定するようにしてもよい。
【００８６】
（表示制御処理について）
上述の実施の形態では、図４で示した表示制御処理のＳＢ５において、評価区間においてエコランプが点灯した状態、あるいはインジケータが「ＨＶエコゾーン」に該当する状態で車両が走行した合計距離を算出し、当該算出した距離を評価区間の距離で除した値が所定の閾値以上か否かに基づいて、各評価区間における運転者による運転操作を評価する場合を例として説明したが、運転者のレベルに応じて所定の閾値を変化させてもよい。例えば、所定の閾値を、初級レベルの運転者については０．７、中級レベルの運転者については０．８、上級レベルの運転者については０．９としてもよい。この場合、表示制御処理のＳＢ１１における運転者による運転操作の最終評価に応じて、運転者のレベルを決定することとしてもよい。例えば、運転者による運転操作の最終評価が、２回の走行で連続して「ＧＯＬＤ」となった場合に、運転者のレベルを１段階上げるようにしてもよい。
（付記）
付記１のナビゲーションシステムは、車両の運転者による運転操作を評価する際の指標となる評価情報を、所定距離の単位区間毎に取得する評価情報取得手段と、前記運転者による運転操作を評価するための評価区間の距離を、表示手段に表示されている地図の縮尺に基づいて決定し、当該決定した距離の各評価区間に含まれる前記単位区間毎の前記評価情報に基づき、当該各評価区間における前記運転者による運転操作を評価する評価手段と、前記評価手段による評価結果を、前記表示手段に表示されている地図上の前記各評価区間に対応する位置に表示するための制御を行う表示制御手段と、を備える。
付記２のナビゲーションシステムは、付記１に記載のナビゲーションシステムにおいて、前記評価手段は、前記単位区間毎の前記評価情報に基づき、当該各単位区間における前記運転者による運転操作を評価し、前記表示制御手段は、前記車両の走行経路を構成する全ての前記評価区間における評価結果が最良であって、且つ、当該車両の走行経路を構成する前記各単位区間の中に評価結果が最良ではない単位区間が存在する場合、当該評価結果が最良ではない単位区間を案内するための制御を行う。
付記３のナビゲーションシステムは、付記２に記載のナビゲーションシステムにおいて、前記表示制御手段は、前記車両の走行経路を構成する全ての前記評価区間における評価結果が最良であって、且つ、当該車両の走行経路を構成する前記各単位区間の中に評価結果が最良ではない単位区間が存在する場合、当該評価結果が最良ではない単位区間を含む評価区間における評価結果が最良ではなくなる当該評価区間の距離を特定し、当該特定した距離に基づいて地図の縮尺を決定し、前記表示手段に表示されている地図の縮尺を当該決定した縮尺に変更し、当該縮尺を変更した地図上で当該評価結果が最良ではない単位区間を案内するための制御を行う。
付記４のナビゲーションシステムは、付記１から３のいずれか一項に記載のナビゲーションシステムにおいて、前記評価情報取得手段は、前記運転者による運転操作が燃費向上に適したものであるか否かを逐次判定し、前記単位区間毎に、当該単位区間内での前記判定結果を前記評価情報として取得し、前記評価手段は、前記各評価区間に含まれる前記単位区間毎の前記評価情報に基づき、当該各評価区間において前記運転者による運転操作が燃費向上に適していた際の前記車両の走行距離が占める割合を特定し、当該特定した割合に基づき、各評価区間における前記運転者による運転操作を評価する。
付記５のナビゲーション方法は、車両の運転者による運転操作を評価する際の指標となる評価情報を、所定距離の単位区間毎に取得する評価情報取得ステップと、前記運転者による運転操作を評価するための評価区間の距離を、表示手段に表示されている地図の縮尺に基づいて決定し、当該決定した距離の各評価区間に含まれる前記単位区間毎の前記評価情報に基づき、当該各評価区間における前記運転者による運転操作を評価する評価ステップと、前記評価ステップにおける評価結果を、前記表示手段に表示されている地図上の当該評価区間に対応する位置に表示するための制御を行う表示制御ステップと、を含む。
付記６のナビゲーションプログラムは、付記５に記載の方法をコンピュータに実行させる。
（付記の効果）
付記１に記載のナビゲーションシステム、付記５に記載のナビゲーション方法、及び付記６に記載のナビゲーションプログラムによれば、評価手段は、運転者による運転操作を評価するための評価区間の距離を、表示手段に表示されている地図の縮尺に基づいて決定し、当該決定した距離の各評価区間に含まれる単位区間毎の評価情報に基づき、各評価区間における運転者による運転操作を評価し、表示制御手段は、当該評価手段よる評価結果を、表示手段に表示されている地図上の評価区間に対応する位置に表示するための制御を行うので、地図の縮尺に応じて、表示手段に表示される各評価結果同士の相互間隔を適切な距離に保持することができ、ユーザにとって視認しやすい態様で、運転者による運転操作の評価結果を地図上に表示することができる。
付記２に記載のナビゲーションシステムによれば、表示制御手段は、車両の走行経路を構成する全ての評価区間における評価結果が最良であって、且つ、当該車両の走行経路を構成する各単位区間の中に評価結果が最良ではない単位区間が存在する場合、評価結果が最良ではない単位区間を案内するための制御を行うので、評価区間の距離によっては全ての評価区間における評価結果が最良となる場合においても、評価結果が最良ではない単位区間をユーザに把握させることができ、運転操作を改善可能な区間をユーザに通知することができる。
付記３に記載のナビゲーションシステムによれば、表示制御手段は、車両の走行経路を構成する全ての評価区間における評価結果が最良であって、且つ、当該車両の走行経路を構成する各単位区間の中に評価結果が最良ではない単位区間が存在する場合、当該評価結果が最良ではない単位区間を含む評価区間における評価結果が最良ではなくなる評価区間の距離を特定し、当該特定した距離に基づいて地図の縮尺を決定し、表示手段に表示されている地図の縮尺を当該決定した縮尺に変更し、縮尺を変更した地図上で評価結果が最良ではない単位区間を案内するための制御を行うので、評価結果が最良ではない単位区間を含む評価区間をユーザに把握させることができ、運転操作を改善可能な区間を一層容易にユーザに把握させることができる。
付記４に記載のナビゲーションシステムによれば、評価情報取得手段は、運転者による運転操作が燃費向上に適したものであるか否かを逐次判定し、単位区間毎に、当該単位区間内での判定結果を評価情報として取得し、評価手段は、各評価区間に含まれる単位区間毎の評価情報に基づき、当該各評価区間において運転者による運転操作が燃費向上に適していた際の車両の走行距離が占める割合を特定し、当該特定した割合に基づき、各評価区間における運転者による運転操作を評価するので、各評価区間において運転者が燃費向上に適した運転操作を行った割合に応じて、各評価区間において運転者による運転操作が燃費向上に適したものであるか否かを適切に判定することができる。
【符号の説明】
【００８７】
１  ナビゲーションシステム
２  ＥＣＵ
３  現在位置検出処理部
４  操作部
５  ディスプレイ
６  スピーカ
１０  制御部
１１  評価情報取得部
１２  評価部
１３  表示制御部
２０  データ記録部
２１  地図情報ＤＢ
２２  評価情報ＤＢ
【図１】
0005724689.tif 000002
【図２】
0005724689.tif 000003
【図３】
0005724689.tif 000004
【図４】
0005724689.tif 000005
【図５】
0005724689.tif 000006
【図６】
0005724689.tif 000007
【図７】
0005724689.tif 000008
【図８】
0005724689.tif 000009